【手続補正書】
【提出日】平成29年8月24日(2017.8.24)
【手続補正１】
【補正対象書類名】特許請求の範囲
【補正対象項目名】全文
【補正方法】変更
【補正の内容】
【特許請求の範囲】
【請求項１】
動画を撮影する撮影手段と、
前記動画を記録する記録手段と、
前記動画の被写体の動き及び前記被写体に含まれる主要被写体の種類に基づいて、前記動画の再生速度を決定する決定手段と、
前記決定手段により決定された再生速度で再生される動画が記録されるように、前記撮影手段及び前記記録手段を制御する制御手段と、
を備えることを特徴とする撮像装置。
【請求項２】
前記決定手段は、前記被写体の動き及び前記主要被写体の種類に加えて、前記撮像装置の動きに基づいて、前記再生速度を決定する
ことを特徴とする請求項１に記載の撮像装置。
【請求項３】
前記決定手段は、前記動画の全体が通常の速度で再生される通常再生パターン、前記動画の少なくとも一部がスロー再生されるスロー再生パターン、及び前記動画の少なくとも一部が早送り再生される早送り再生パターンのうちのいずれかの再生パターンで前記動画が再生されるように、前記再生速度を決定する
ことを特徴とする請求項２に記載の撮像装置。
【請求項４】
前記決定手段は、
前記撮像装置の動きがあり、前記被写体の動きがあり、前記主要被写体が人物である場合に、前記スロー再生パターンを優先的に選択すること、
前記撮像装置の動きがあり、前記被写体の動きがあり、前記主要被写体が人物以外である場合に、前記スロー再生パターンを優先的に選択すること、
前記撮像装置の動きがあり、前記被写体の動きがあり、前記被写体の中に主要被写体が含まれない場合に、前記通常再生パターンを優先的に選択すること、
前記撮像装置の動きがあり、前記被写体の動きがなく、前記主要被写体が人物である場合に、前記スロー再生パターンを優先的に選択すること、
前記撮像装置の動きがあり、前記被写体の動きがなく、前記主要被写体が人物以外である場合に、前記スロー再生パターンを優先的に選択すること、
前記撮像装置の動きがあり、前記被写体の動きがなく、前記被写体の中に主要被写体が含まれない場合に、前記通常再生パターンを固定的に選択すること、
前記撮像装置の動きがなく、前記被写体の動きがあり、前記主要被写体が人物である場合に、前記スロー再生パターンを優先的に選択すること、
前記撮像装置の動きがなく、前記被写体の動きがあり、前記主要被写体が人物以外である場合に、前記早送り再生パターンを優先的に選択すること、
前記撮像装置の動きがなく、前記被写体の動きがあり、前記被写体の中に主要被写体が含まれない場合に、前記早送り再生パターンを優先的に選択すること、
前記撮像装置の動きがなく、前記被写体の動きがなく、前記主要被写体が人物である場合に、前記スロー再生パターンを優先的に選択すること、
前記撮像装置の動きがなく、前記被写体の動きがなく、前記主要被写体が人物以外である場合に、前記通常再生パターンを優先的に選択すること、及び、
前記撮像装置の動きがなく、前記被写体の動きがなく、前記被写体の中に主要被写体が含まれない場合に、前記通常再生パターンを優先的に選択すること、
のうちの少なくとも１つを実行する
ことを特徴とする請求項３に記載の撮像装置。
【請求項５】
前記決定手段は、前記被写体の動き、前記主要被写体の種類、及び前記撮像装置の動きに基づいて第１の確率、第２の確率、及び第３の確率を決定し、前記第１の確率で前記通常再生パターンを選択し、前記第２の確率で前記スロー再生パターンを選択し、前記第３の確率で前記早送り再生パターンを選択する
ことを特徴とする請求項３又は４に記載の撮像装置。
【請求項６】
前記決定手段は、前記動画の撮影パラメータに更に基づいて、前記第１の確率、前記第２の確率、及び前記第３の確率を決定する
ことを特徴とする請求項５に記載の撮像装置。
【請求項７】
前記決定手段は、前記動画の撮影の焦点距離が閾値以上である場合、前記第３の確率を下げる
ことを特徴とする請求項６に記載の撮像装置。
【請求項８】
前記制御手段は、複数の動画が撮影され、前記複数の動画が１つの結合動画として記録されるように、前記撮影手段及び前記記録手段を制御し、
前記決定手段は、前記結合動画を構成する所定の動画について、前記結合動画における当該所定の動画の位置、及び前記結合動画における先頭の動画の再生パターンのうちの少なくとも一方に更に基づいて、前記第１の確率、前記第２の確率、及び前記第３の確率を決定する
ことを特徴とする請求項５乃至７のいずれか１項に記載の撮像装置。
【請求項９】
前記決定手段は、前記所定の動画について、前記第１の確率、前記第２の確率、及び前記第３の確率のうち、前記結合動画における先頭の動画の再生パターンに対応する確率を上げる
ことを特徴とする請求項８に記載の撮像装置。
【請求項１０】
前記決定手段は、前記所定の動画が前記結合動画における先頭の動画である場合、前記所定の動画のための前記第１の確率を上げる
ことを特徴とする請求項８に記載の撮像装置。
【請求項１１】
前記決定手段は、前記所定の動画が前記結合動画における末尾の動画である場合、前記所定の動画のための前記第２の確率及び前記第３の確率のうちの少なくとも一方を上げる
ことを特徴とする請求項８乃至１０のいずれか１項に記載の撮像装置。
【請求項１２】
前記制御手段は、複数の動画が撮影され、前記複数の動画が１つの結合動画として記録されるように、前記撮影手段及び前記記録手段を制御し、
前記決定手段は、前記結合動画を構成する所定の動画について、前記結合動画における当該所定の動画の位置、及び前記結合動画における先頭の動画の再生速度のうちの少なくとも一方に更に基づいて、前記所定の動画の再生速度を決定する
ことを特徴とする請求項１に記載の撮像装置。
【請求項１３】
前記決定手段は、前記所定の動画が前記結合動画における末尾の動画である場合、前記所定の動画が前記結合動画における先頭の動画である場合よりも、前記所定の動画の再生速度をスロー再生、あるいは、早送り再生にする確率を上げる
ことを特徴とする請求項１２に記載の撮像装置。
【請求項１４】
撮像装置の制御方法であって、
動画を撮影する撮影工程と、
前記動画を記録する記録工程と、
前記動画の被写体の動き及び前記被写体に含まれる主要被写体の種類に基づいて、前記動画の再生速度を決定する決定工程と、
前記決定工程により決定された再生速度で再生される動画が記録されるように、前記撮影工程及び前記記録工程を制御する制御工程と、
を備えることを特徴とする制御方法。
【請求項１５】
コンピュータを、請求項１乃至１３のいずれか１項に記載の撮像装置の各手段として機能させるためのプログラム。
【手続補正２】
【補正対象書類名】明細書
【補正対象項目名】０００８
【補正方法】変更
【補正の内容】
【０００８】
上記課題を解決するために、本発明は、動画を撮影する撮影手段と、前記動画を記録する記録手段と、前記動画の被写体の動き及び前記被写体に含まれる主要被写体の種類に基づいて、前記動画の再生速度を決定する決定手段と、前記決定手段により決定された再生速度で再生される動画が記録されるように、前記撮影手段及び前記記録手段を制御する制御手段と、を備えることを特徴とする撮像装置を提供する。
【手続補正３】
【補正対象書類名】明細書
【補正対象項目名】００４６
【補正方法】変更
【補正の内容】
【００４６】
Ｓ８０２で、撮像装置１００は、図６のＳ６０１におけるシーン解析結果（例えば、被写体情報や撮影画像の色分布情報等）に従い、評価値を更新する。例えば、撮像装置１００は、被写体が人物を含む場合に、「人物と相性の良いフィルタの評価値を上げ、人物と相性の悪いフィルタの評価値を下げる」、等の評価値演算処理を、撮影シーンの解析結果に応じて複数回実行する。これにより、図９に示すように、最終的な評価値ｘ［ｍ］は撮影シーンに応じたばらつきを持つ。